(57)【要約】【課題】従来のバーコード読み取りが可能な携帯型情報端末装置又は携帯電話機は、標準撮影用からマクロ撮影用への切り替えや撮影条件の設定に煩雑な操作を必要としている。【解決手段】本発明は、装置本体にマクロ撮影用に設けられた操作ダイヤルの操作に連動して、撮影レンズが撮像素子に近づき、絞りの絞り込み動作が行われ、焦点距離（被写界深度）がマクロ撮影に好適する設定状態に変更され、撮像部がマクロ撮影に設定されると、バーコードを最適な露出条件で撮影され、読み取られたバーコード画像を解読してバーコード情報として記録及び表示する携帯型情報端末装置である。【選択図】    図１
2004289465.tif 000002
【特許請求の範囲】
【請求項１】
光電変換により画像信号を生成する撮像素子と、
前記撮像素子の受光面に光像を入光するための撮像光学系手段と、
前記撮像素子と撮像光学系手段の相対位置を、第１の位置又は、この第１の位置よりも前記撮像素子と前記撮像光学系手段が近づく第２の位置に、移動可能な第１の移動手段と、
前記撮像光学系手段を通過した光像の一部を遮光する遮光手段と、
前記遮光手段による遮光量を第１の遮光量又は、この第１の遮光量よりも遮光量が多い第２の遮光量に、変更可能な第２の移動手段と、
前記第１の移動手段及び第２の移動手段による動作を操作する操作手段と、
前記第１の移動手段における前記第１の位置から前記第２の位置へ移動したこと又は、第２の移動手段における前記第１の遮光量から前記第２の遮光量に変更したことを検出する検出手段と、
前記検出手段の信号を受けて前記撮像素子を起動し、前記受光面に入光された光像を画像信号に変換する変換手段と、
この画像信号がバーコード画像であるか否かを判断する判断手段と、
前記判断手段でバーコード画像であると判断された時に、露出が適正になるように制御を行い、前記撮像素子により撮像する撮像制御手段と、
撮像された画像信号を解読してバーコード情報を得る解読手段と、
前記バーコード情報を記録する記録手段と、
撮像された前記バーコード画像及び前記バーコード情報を表示する表示手段と、を具備し、
前記操作手段の操作により、バーコードの撮像、判定、解読、表示及び記録までの一連の動作を行うことを特徴とする携帯型情報端末装置。
【請求項２】
光電変換により画像信号を生成する撮像素子と、
前記撮像素子の受光面に光像を入光するための撮像光学系手段と、
前記撮像素子と撮像光学系手段の相対位置を、第１の位置又は、この第１の位置よりも前記撮像素子と前記撮像光学系手段が近づく第２の位置に、移動可能な第１の移動手段と、
前記撮像光学系手段を通過した光像の一部を遮光する遮光手段と、
前記遮光手段による遮光量を第１の遮光量又は、この第１の遮光量よりも遮光量が多い第２の遮光量に、変更可能な第２の移動手段と、
前記第１の移動手段及び第２の移動手段による動作を操作する操作手段と、
前記第１の移動手段における前記第１の位置から前記第２の位置へ移動したこと又は、第２の移動手段における前記第１の遮光量から前記第２の遮光量に変更したことを検出する検出手段と、
前記検出手段の信号を受けて前記撮像素子を起動し、前記受光面に入光された光像を画像信号に変換する変換手段と、
この画像信号がバーコード画像であるか否かを判断する判断手段と、
前記判断手段でバーコード画像であると判断された時に、露出が適正になるように制御を行い、前記撮像素子により撮像する撮像制御手段と、
撮像された画像信号を解読してバーコード情報を得る解読手段と、
撮像された前記バーコード画像及び解読された前記バーコード情報を表示する表示手段と、
所定の操作により、前記バーコード情報を記録する記録手段と、を具備し、
前記操作手段の操作により、バーコードの撮像、判定及び解読、表示までの一連の動作で行い、記録を指示した際に解読されたバーコード情報を記録することを特徴とする携帯型情報端末装置。
【請求項３】
携帯可能で情報処理及びその表示を行い、外部との通信機能を有する携帯型情報端末装置において、
固定された１つの鏡筒内で、撮影レンズ群を備え異なる２つの焦点距離となる遠位置・近位置のいずれかへ移動可能な移動鏡筒を収納する撮影レンズ鏡筒と、前記移動鏡筒と連動し前記撮影レンズ鏡筒を通過した光像の光量を調整する絞りとからなる撮影光学系と、
前記撮影光学系により結像された光像を受光し、光電変換による画像信号を生成する撮像素子と、
前記移動鏡筒に連結して遠位置・近位置の切り替え動作を行う操作ダイヤルと前記移動鏡筒が前記撮像素子に近づく前記近位置に移動したことを検出する検出スイッチとからなる撮影モード切り換え部と、
前記検出スイッチの検出信号により駆動が開始された前記撮像素子から得られた画像信号がバーコード情報を含むか以内かの判別及び、画像信号からバーコード情報を解読するバーコード処理部と、
で構成されるバーコード情報読み取り装置を具備し、
前記操作ダイヤルの操作に連動して、前記撮影光学系がバーコードの撮影を可能にするように前記移動鏡筒を前記近位置へ移動し、前記絞りを予め定めた開口径に絞り込み、前記撮像素子が起動されて得られた画像信号がバーコード情報と判定されたならば、画像信号からバーコード情報を解読することを特徴とする携帯型情報端末装置。
【請求項４】
携帯可能で情報処理及びその表示を行い、外部との通信機能を有する携帯型情報端末装置において、
マクロ撮影可能な第１の焦点距離のレンズ群と予め定めた第１の開口径に固定された絞りを収納する第１の撮影レンズ鏡筒と、前記第１の焦点距離よりも長い第２の焦点距離のレンズ群と前記第１の開口径より大きい第２の開口径に固定された絞りを収納する第２の撮影レンズ鏡筒とが、それぞれに結像位置へ撮像素子を配置してスライド可能な基板に搭載される撮像部と、
前記移動鏡筒に連結して遠位置・近位置の切り替え動作を行う操作ダイヤルと前記移動鏡筒が前記撮像素子に近づく前記近位置に移動したことを検出する検出スイッチとからなる撮影モード切り換え部と、
前記検出スイッチの検出信号により起動された前記撮像素子から得られた画像信号がバーコード情報を含むか否かの判別及び、画像信号からバーコード情報を解読するバーコード処理部と、
で構成されるバーコード情報読み取り装置を具備し、
前記操作ダイヤルの操作に連動して、前記撮像部の前記スライド基板を移動して、前記第１の撮影レンズ鏡筒により結像された光像を受光する前記撮像素子が起動され、得られた画像信号がバーコード情報と判定されたならば、画像信号からバーコード情報を解読することを特徴とする携帯型情報端末装置。
【請求項５】
前記携帯型情報端末装置は、さらに、
撮像されたバーコード画像と、解読されたバーコード情報を表示する表示部と、
前記操作ダイヤルの操作により開始されたバーコード読み取り動作に続いて、解読されたバーコード情報を記録媒体に記録する記録部と、を具備することを特徴とする請求項３又は４に記載の携帯型情報端末装置。
【請求項６】
前記携帯型情報端末装置は、さらに、
撮像されたバーコード画像及び解読されたバーコード情報を表示する表示部と、
前記表示部に表示されている前記バーコード情報を必要に応じて記録媒体に記録する記録部と、を具備することを特徴とする請求項３又は４に記載の携帯型情報端末装置。
【発明の詳細な説明】
【０００１】
【発明の属する技術分野】
本発明は、入力操作が容易なバーコード読み取り機能を搭載した携帯型情報端末装置に関する。
【０００２】
【従来の技術】
従来、バーコード等を赤外光を用いて読み取り、その情報を解読処理を行う所謂、バーコード読み取り装置は、専用機器として扱われており、据え置き型や携帯型等の大小様々なタイプが利用されている。これまで、部品や商品の在庫管理、社会活動における各種証書等の情報を表すものとして、情報量が多い２次元バーコードの使用頻度が高くなってきている。
【０００３】
また、例えば、ＣＣＤやＣＭＯＳ等による固体撮像素子を搭載して画像を取り込む機能を有する携帯型情報端末装置（ＰＤＡ）や携帯電話機等が数多く提案されている。撮像された画像は、種々の処理を行いデータとして利用したり、無線を通じて他の携帯電話機や情報処理装置に転送することもできる。同時に、この撮像素子を兼用して、１次元、２次元バーコードを読み取ることを可能とした携帯電話機も提案されている。
【０００４】
バーコードを読み取る場合には、撮像光学系が人物を撮像するような標準撮影の設定では撮像できないため、接写による撮像、即ちマクロ撮影ができるようにしなければならない。一般的なカメラのようなオートフォーカス機能を搭載しようとすると、ＰＤＡや携帯電話機大型化してしまうという問題が生じる。そのため、切り替えにより標準撮影とマクロ撮影が可能な光学系が必要となる。例えば、特許文献１には、標準撮影、マクロ撮影、スーパーマクロ撮影に切替可能な構成を有し、レンズの位置・絞りを切替可能な光学系が提案されている。
【０００５】
このような撮像素子を搭載する携帯電話機や携帯型情報端末装置は、通信手段や簡単な情報処理を行うために普段から携帯している場合が多い。これらが、バーコード読み取り機能を有しているならば、ユーザーにとっては、専用のバーコード読み取り装置を別に携帯するよりも手軽になる。情報入力においてもキー入力に比べて、短時間で容易にできるため、例えば、ＵＲＬやキャラターが容易に取得できる。このため、携帯電話機においては、電話機能を利用して、読み取ったＵＲＬにより簡単にネットワークにアクセスしたり、読み取ったバーコード情報を転送することもできるため、バーコード読み取り機能を搭載する機種も増加している。また、携帯型情報端末装置においても、簡易な器具を取り付けて通信機能や電話通信機能を利用できるものもある。
【０００６】
【特許文献１】
特開平１０−３２５９７２号公報
【０００７】
【発明が解決しようとする課題】
前述したような撮像素子を搭載する携帯電話機や携帯型情報端末装置は、バーコード読み取りが主な機能ではないため、画像として取り込むまでに、入力モードを撮像入力モードへの切り替え、撮像条件の選択、撮像光学系の切り替え（標準撮影用からマクロ撮影用への切り替え）、撮像画角に被写体を納めた後のシャター操作等の煩雑な複数の操作を必要としている。同様に、撮像素子を搭載する携帯型情報端末装置におけるバーコード読み取り操作は煩雑となっている。
【０００８】
そこで本発明は、簡単な操作でバーコード読み取りモードに切り替えられ、バーコードの撮像から解読されたバーコード情報の表示、記録まで一連の動作で実施され、短時間でバーコード情報を取得できる携帯型情報端末装置を提供することを目的とする。
【０００９】
【課題を解決するための手段】
本発明は上記目的を達成するために、光電変換により画像信号を生成する撮像素子と、前記撮像素子の受光面に光像を入光するための撮像光学系手段と、前記撮像素子と撮像光学系手段の相対位置を、第１の位置又は、この第１の位置よりも前記撮像素子と前記撮像光学系手段が近づく第２の位置に、移動可能な第１の移動手段と、前記撮像光学系手段を通過した光像の一部を遮光する遮光手段と、前記遮光手段による遮光量を第１の遮光量又は、この第１の遮光量よりも遮光量が多い第２の遮光量に、変更可能な第２の移動手段と、前記第１の移動手段及び第２の移動手段による動作を操作する操作手段と、前記第１の移動手段における前記第１の位置から前記第２の位置へ移動したこと又は、第２の移動手段における前記第１の遮光量から前記第２の遮光量に変更したことを検出する検出手段と、前記検出手段の信号を受けて前記撮像素子を起動し、前記受光面に入光された光像を画像信号に変換する変換手段と、この画像信号がバーコード画像であるか否かを判断する判断手段と、前記判断手段でバーコード画像であると判断された時に、露出が適正になるように制御を行い、前記撮像素子により撮像する撮像制御手段と、撮像された画像信号を解読してバーコード情報を得る解読手段と、前記バーコード情報を記録する記録手段と、前記バーコード情報を表示する表示手段とを備え、前記操作手段の操作により、バーコードの撮像、判定、解読、表示及び記録までの一連の動作を行う携帯型情報端末装置を提供する。
【００１０】
前記携帯型情報端末装置の記録手段は、操作ダイヤルの操作により開始されたバーコード読み取り動作に続いて、解読されたバーコード情報を記録媒体に記録する若しくは、前記バーコード情報を指示により記録媒体に記録する。
【００１１】
以上のような構成の携帯型情報端末装置は、操作ダイヤルの操作に連動して、マクロ撮影用の撮影光学系が設定され、その設定時に検出された信号により起動された撮像素子から得られた画像がバーコード画像か否かの判別を行い、バーコード画像であれば解読されて表示及び記録されるというバーコード読み取り動作を一連の動作として実行する。
【００１２】
【発明の実施の形態】
以下、図面を参照して本発明の実施形態について詳細に説明する。
本発明による携帯型情報端末装置のバーコードを撮像するためのマクロ撮影と標準撮影の切り替えについて説明する。通常、１つのレンズ鏡筒でマクロ撮影と標準撮影を共に行う場合には、カメラのように、撮影レンズ群のうちのいずれかを光軸上に沿って移動させることで焦点距離（被写界深度）を変化させるズーム機能を搭載してもよいが、構造が複雑となり大型になる。
【００１３】
そこで本実施形態では、撮影レンズを撮像素子に近づくように光軸上を移動させると共に絞りを絞り込み、公知の近軸理論に従った至近合焦及び被写界深度の変化により、マクロ撮影（接写撮影）と標準撮影とを切り替える構成を用いている。尚、以下の実施形態において、標準撮影は、主要被写体が１ｍ前後から無限大の距離に存在する構図を撮影するものとし、マクロ撮影は、主要被写体が１ｃｍから１０ｃｍ程度の距離に存在する構図を撮影するものとする。標準撮影は、例えば、フィルムカメラにおける焦点距離が５０ｍｍ程度の撮影レンズを使用して撮影したものと同様であり、マクロ撮影は、フィルムカメラにおけるマクロレンズを用いた接写撮影と同様である。
【００１４】
図１には、本発明の第１の実施形態に係る携帯情報端末装置（以下、端末装置と称す）のブロック構成を示す。
この端末装置は、被写体（人物やバーコード等）を撮像する撮像部１と、撮像した被写体を表示する液晶表示装置（ＬＣＤ）等からなる表示部２と、マイクロフォン及びスピーカを用いて外部との音声の入出力を行う音声入出力部３と、装置本体に設けられた複数の入力キー４及び操作ボタン３４によりキー入力及びモード選択等の指示を行うための入力部５と、動作及び処理のためのプログラムを予め記憶するメモリ部６と、着脱自在な記録媒体７に処理されたデータや画像等を記憶する記録部８と、ＲＳ２３２Ｃ等を含み外部との通信を行う外部通信部９と、撮像部１により撮像された画像がバーコードであるか否かの判別処理及び読み取ったバーコードを解読するバーコード処理部１０と、後述する撮像モード切り替え部１１と、被写体を照明するための照明光を投光する照明部１２と、各構成部位を含む全体を制御するＣＰＵ等からなる制御部１３とで構成される。
【００１５】
この構成において、撮像部１は、後述する標準撮影及びマクロ撮影の切り替え可能な撮像光学系１ａと、固体撮像素子からなる撮像素子１ｂと、撮像素子１ｂにより得られた被写体信号を処理する画像処理部１ｃとで構成される。また、記録部８は、記録媒体（メモリカード等）７に対して情報を記録するだけでなく、記録媒体７に記録された情報を読み出して取り込む機能を有してもよい。
【００１６】
図２は、第１の実施形態に係る端末装置の構成例を示す。
この端末装置は、図２（ａ）に示すように筐体となる上部ハウジング３１と下部ハウジング３２とが、弾性部材からなるガスケット３３を挟んで防水、防塵となるように係合される。このガスケット３３は、エラストマー等の弾性部材により環状に形成され、上下部ハウジングの周囲にそれぞれ形成された溝に挿嵌され（図１５参照）、上下部ハウジングを合体させた際の押圧により弾性変形して、防水及び防塵を実現する。また、ガスケット３３の一部は張り出され、後述する操作ダイアルの防水・防塵を実現するための孔３３ａが開口されている。上部ハウジング３１は、表示部２の画面が嵌め込まれるための画面窓３１ａが開口され、さらに複数の入力キー４及びモード選択等の指示を行うための複数の操作ボタン３４が設けられている。下部ハウジング３２は、電池室３２ａが設けられており、その中には電池３５が装填され、電池室蓋３６でカバーされている。また、撮像部１における撮像光学系１ａになるレンズ鏡筒４０と、撮像素子１ｂと画像処理部１ｃが一体的に構成されて、フレキシブルプリント配線基板（ＦＰＣ）４１により制御部１３に接続されている。下部ハウジング底面に開口された撮影レンズ窓３２ｂにレンズ鏡筒４０が宛われるように配置されている。
【００１７】
また、これらの上下部ハウジングによる筐体内には、プリント配線基板（ＰＣＢ）３７が収納されている。このＰＣＢ３７の基板上面側には、表示部２として液晶表示素子（ＬＣＤ）３８が実装される。また、前述した各操作ボタン３４に対応するように複数のスイッチ３９ａ及びキー入力部３９ｂが実装されており、各操作ボタン３４の挿下動作に応じてオン・オフする。これらの入力キー４、操作ボタン３４、スイッチ３９ａ及びキー入力部３９ｂにより入力部５が構成される。尚、入力においては、音声入出力部３を用いた音声入力も行われる。
【００１８】
さらに、図示しない基板裏面側には、ＣＰＵからなる制御部１３、音声入出力部３、メモリ部６等の図１に示した各構成部位に対応する回路素子が実装されている。尚、画像処理部１ｃは、撮像素子１ｂと一体的に設けているがＰＣＢ３７側に設けてもよい。
【００１９】
また、下部ハウジング３２の側面には、撮像光学系（撮像モード）における標準撮影とマクロ撮影とを切り替えるための操作ダイヤル４３が設けられる。この操作ダイヤル４３は、図２（ｂ）に示すように、下部ハウジング３２の側面に開口された操作ダイヤル用穴３２ｅ及び孔３３ａを通して、押圧部４４と嵌合し、ビス４５により係止される。押圧部４４は、先端にボス４４ａが設けられ、後述する支持ピン５３ａと係合している。
【００２０】
また、下部ハウジング内には、図２（ｃ）に示すように、そのボス４４ａの回動に伴い、撮影光学系がマクロ撮影用に切り替えられたときに、ボス側面に押されてオン・オフする検出スイッチ４６が設けられている。これらの操作ダイヤル４３及び検出スイッチ４６は、撮像モード切り替え部１１を構成する。この検出スイッチ４６により検出された信号は、制御部１３へ送出される。検出信号を受けた制御部１３は、撮像素子を起動して、撮像を開始し、撮影した画像が表示部に表示するように動作する。また、下部ハウジング底面に照明用窓３２ｄを開口して、公知な三色ダイオード等による白色光又はキセノン管等による照明光を投光する照明部１２が設けられている。
【００２１】
図３には、撮像部１の具体的な構成例を示す。
この撮像部１は、筒形状の移動枠５１内に少なくとも２つ以上のレンズにより構成される撮影レンズ群５２が固定される。この移動枠５１は、その側面に例えば３本の支持ピン５３（５３ａ、５３ｂ、５３ｃ）が嵌め込まれ、固定枠５５内に装着されている。これらの支持ピン５３は、固定枠５５の側面の形成されたカム溝５５ａ（支持ピン５３ｂ、５３ｃに対応する５５ｂ、５５ｃは図示せず）にそれぞれ嵌合し、これらのカム溝に沿って摺動可能となっている。これらのうちの１つの支持ピンは、前述した操作ダイヤル４２の先端に設けられたボス４４ａと係合しており、図２（ｂ）に示すように操作ダイヤルの回動により移動される。ここでは、支持ピン５３ａがボス４４ａと係合しているものとして説明する。この移動枠５１の下面には、突起状の絞り羽根回動用レバー５４が設けられている。
【００２２】
固定枠５５の台座下側には、２つの絞り羽根５６ａ、５６ｂと固定絞り５９とが絞り押さえ５７により取り付けられている。その際に絞り押さえ５７は、例えば、２つの絞り羽根５６ａ、５６ｂのそれぞれの一端に形成された穴５８ａ、５８ｂにピン５７ａ、５７ｂに装嵌させて回動可能に支持する。固定絞り５９は、内径φＤ０の孔（標準撮影における絞り径）が開口される。また、それぞれの絞り羽根５６ａ、５６ｂの一端側には、移動枠５１の絞り羽根回動用レバー５４に嵌合するカム溝６０ａ、６０ｂが設けられている。
【００２３】
さらに、固定枠５５の台座には、これらの絞り機構を挟んで、撮像素子１ｂが取り付けられている。この撮像素子１ｂで得られた画像信号は、図１に示した画像処理部１ｃへ出力される。この画像処理部１ｃは、撮像素子１ｂに隣接して設けてもよいし、ＦＰＣ５９で接続して別の場所に設けてもよい。
【００２４】
図４及び図５及び図６を参照して絞りの変化と撮影レンズの移動による、標準撮影とマクロ撮影の切り替え動作について説明する。ここで、支持ピン５３ａ、カム溝５５ａを代表として説明する。
【００２５】
図４（ａ）、図５（ａ）に示す第１の状態は、通常時に設定されている標準撮影の撮影レンズ位置及び絞り状態である。この時、移動枠は図５（ａ）に示すように、前方に繰り出した状態（撮影レンズと撮像素子が遠い状態）であり、撮影レンズと撮像素子の距離がｘ１である。絞り羽根５６ａ、５６ｂは最も開口した状態となっているため、固定絞り５９により規定された絞り径φＤ０となっている。これは、図６における第１の状態を示している。
【００２６】
次に、ユーザーが操作ダイヤル４３を回動操作すると、図５（ｂ）に示すように、支持ピン５３ａがカム溝５５ａに従い移動して移動枠５１が光軸方向に後退する（図６のＡ）。これに伴い、絞り羽根回動用レバー５４がカム６０ａ、６０ｂ内を移動して、図４（ｂ）に示す第２の状態に到る。この第２の状態では、カム溝６０ａ、６０ｂが円周上になるように形成されているため、絞り羽根回動用レバー５４がカム溝６０ａ、６０ｂ内を移動しても、絞り羽根５６ａ、５６ｂは開口径を維持する。これは、図６における第１の状態が第２の状態へ移行するものであり、絞りの開口径を維持しつつ、撮影レンズと撮像素子間の距離が短くなる。
【００２７】
さらに操作ダイヤル４３を操作すると、図４（ｃ）、５（ｃ）に示すように撮影レンズと撮像素子との距離ｘ３は、距離ｘ２を維持し、絞りが絞り込まれた状態になり、マクロ撮影が可能な第３の状態に到る。これは、図５（ｃ）に示すように、移動枠５１が光軸方向に対する位置を維持したまま回転し、これと共に図４（ｃ）に示すように、絞り羽根回動用レバー５４がカム溝６０ａ、６０ｂに沿って移動し、絞り羽根５６ａ、５６ｂによる開口径がφＤ１（φＤ１＜φＤ０）となるように閉じる（図６のＢ）。つまり、図６の第２の状態から第３の状態へ移行したものである。
【００２８】
本実施形態の携帯型情報端末装置による標準撮影又はマクロ撮影に関するフローチャートを図７及び図８に示す。
図７に示すフローチャートを参照して、操作ボタン３４によりモード選択された標準撮影について説明する。この操作は、従来のものと同じである。
まず、メニュー画面を表示させる（ステップＳ１）。このメニュー画面の各種モードから標準撮影モードが選択されたか否かを判定する（ステップＳ２）。この時、メニュー画面にマクロ撮影モードを選択できる選択項目が設けられていてもよい。ここで、マクロ撮影モードを選択した場合には、従来と同様に、撮影レンズの切り替え指示や読み取るキャラクタの種別指示などの撮像準備を行うこととなる。
【００２９】
次に、標準撮影モードが選択されたならば（ＹＥＳ）、撮像部１が起動されて、撮像素子１ｂから被写体像が随時が取り込まれ、表示部２の画面に被写体像が動画像として表示される（ステップＳ３）。またステップＳ２において、標準撮影モードが選択されなければ（ＮＯ）、他のモードにおける動作シーケンスに移行する。
【００３０】
次に、照明部１２により投光するか否かを判定する（ステップＳ４）。投光する場合において（ＹＥＳ）、照明部１２が自動測光機能を有していた時には自動的に、又は有していない場合には操作者の判断による手動により、被写体へ照明部１２から照明光を投光する（ステップＳ５）。その後、シャッタートリガスイッチに割り当てられた操作ボタン３４をオン操作したならば（ステップＳ６）、撮像素子１ｂにより取り込んだ被写体像におけるホワイトバランスについて制御する（ステップＳ７）。一方、照明が投光されたなかった場合には（ＮＯ）、ステップＳ７に移行して、そのままシャッタートリガースイッチとなる操作ボタン３４を操作する。
【００３１】
その後、露出時間等の露出制御を完了した後（ステップＳ８）、シャッタートリガスイッチに割り当てられた操作ボタン３４を操作して、撮像を行い（ステップＳ９）、取り込んだ画像を記録部８により記録媒体７へ記録する（ステップＳ１０）。この際に、撮像された画像を表示部２に表示させる。
【００３２】
次に図８に示すフローチャートを参照して、マクロ撮影について説明する。
まず、ユーザに操作ダイヤル４３が操作されると、前述したように撮影レンズ位置及び絞りがマクロ撮影の状態へ変化する（ステップＳ１１）と共に、検出スイッチ４６から制御部１３へ検出信号が送出される。制御部１３は、この検出信号を受けて、マクロ撮影を行うものと判断して（ステップＳ１２）、撮像部１を起動し（ステップＳ１３）、撮像素子１ｂから被写体像を随時取り込み、表示部２の画面に動画像として表示する（ステップＳ１４）。
【００３３】
次に、読み取ろうとするバーコードに撮像部１を近づけて、表示部２に表示されるバーコード画像を画面上に規定されている読み取り範囲に入れる（ステップＳ１５）。その後、制御部１３は得られた画像種がバーコードであるか否かを判定する（ステップＳ１６）。この判定は、公知な方法を利用したものでよい。この判定で、バーコードであると判定されたならば（ＹＥＳ）、そのバーコード画像に対するホワイトバランスの制御を行い（ステップＳ１７）、露出条件等を設定する露出制御を行う（ステップＳ１８）。一方、バーコードではないと判定されたならば（ＮＯ）、そのまま画像の取り込みを継続する。
【００３４】
そして露出条件が設定された後に、自動的にバーコードの撮像が行われ（ステップＳ１９）、撮像されたバーコード画像がデコード（解読）できるものか否かを判定する（ステップＳ２０）。この判定でデーコードできるものであれば（ＹＥＳ）、バーコード処理部１０により読み取ったバーコードにおける情報が解読処理され（ステップＳ２１）、解読されたバーコード情報（画像を伴ってもよい）は記録部８へ転送され、記録媒体７に記録される（ステップＳ２２）。この記録と共に、バーコード情報は、表示部２に表示され（ステップＳ２３）、このシーケンスを終了する。
【００３５】
また、ステップＳ２０において、撮像されたバーコード画像がデコードできないと判定されたならば（ＮＯ）、撮像した回数、即ちデーコードできなかった数をカウントして、所定のｎ回に達したか否かを判定する（ステップＳ２４）。ｎ回に達していないならば（ＹＥＳ）、再度、ステップＳ９に戻り、バーコードの撮像を行う。一方、デコードできなかった数がｎ回に達したならば（ＮＯ）、エラー表示（又は警告音）を行い（ステップＳ２５）、リターンする。
【００３６】
図９に示すフローチャートを参照して、前述したマクロ撮影の変形例について説明する。このマクロ撮影の変形例は、バーコードの撮像を撮像者の手動操作によるタイミングで撮像するものである。尚、この変形例のステップで前述した図８のステップと同等のものには、同じステップ符号を付してその説明を省略する。
【００３７】
ユーザによる操作ダイヤル４３の操作に伴い、マクロ撮影の状態に設定された後、バーコード画像を取り込み、ホワイトバランスの制御及び露出条件が設定される（ステップＳ１１〜Ｓ１８）。そして、バーコードを撮像した後、デコードする（ステップＳ１９〜Ｓ２１）。その結果を表示部２にバーコード情報として表示し（ステップＳ３１）、この表示を見て、記録部８で記録させるか否かを判断して、記録させる場合には（ＹＥＳ）、表示部２に表示されたトリガキーマークや装置本体に設けられた操作ボタン３４を操作して記録媒体７に記録させ（ステップＳ３２）、リターンする。また、デーコード処理ができない場合には、所定回数まで再度撮影してデコード処理を繰り返し行い、所定回数ｎ回に達したならばエラーとして処理する（ステップＳ２５、Ｓ２６）。
【００３８】
以上のように第１の実施形態によれば、ユーザーは従来のように煩雑な選択や設定をしなくても、マクロ撮影用に設けられた操作ダイヤルを操作するだけで、撮影レンズの位置や絞り状態がマクロ撮影に好適する設定状態となる。さらに、撮像においても、撮像光学系をバーコードに近づけるだけで、ホワイトバランス及び露出条件が設定され、自動的にバーコード画像が取り込まれる。読み取られたバーコード画像はそのまま解読され、バーコード情報として記録及び表示することができる。
【００３９】
従って、ユーザーは操作ダイヤルを操作した後、バーコードに撮像部を近づけるだけで、バーコードの読み取り、記録処理及びバーコード情報の表示までが実施され、容易にバーコードを読み取ることができる。
尚、マクロ撮影から標準撮影に戻す場合には、操作ダイヤルをマクロ撮影時の操作（回動）方向と反対方向に操作することにより、標準撮影に容易に切り替えることができる。
【００４０】
次に、第２の実施形態に係る端末装置について説明する。
前述した第１の実施形態の撮像部は、１つの撮像光学系（レンズ鏡筒）内のレンズ移動と絞りの調整により、マクロ撮影と標準撮影の切り替えを行った例であったが、本実施形態の端末装置は、予めマクロ撮影用の撮像光学系及び撮像素子による標準撮影用撮像部と、標準撮影用の撮像光学系及び撮像素子によるマクロ撮影用撮像部を搭載して、適宜２つの光学系を切り替えて用いる構成である。
【００４１】
図１０は、第２の実施形態の端末装置の構成を示す図である。本実施形態の構成部位において、前述した図２に示す構成部位と同等のものには同じ参照符号を付して、本実施形態の特徴となる部分について説明する。
この端末装置の下部ハウジング３２の側面に操作ダイヤル４３が設けられている。開口された操作ダイヤル用穴３２ｅ及び孔３３ａを通して、押圧部６１と嵌合し、ビス４５により係止される。押圧部６１は、先端にレバー６１ａが設けられ、後述する突起部７３ａと係合している。
【００４２】
この端末装置の撮像部７０は、図１０に示すように標準撮影用撮像部（第１の撮像部）７１と、マクロ撮影用撮像部（第２の撮像像部）７２との２つの撮像部が１枚のスライド基板７３上に並設される。操作ダイヤル４３の回動操作によりスライド基板７３が直線移動を行い、撮影レンズ窓３２ｂにいずれか１つの撮像部が宛われる。
【００４３】
図１１は、標準撮影用撮像部７１の具体的な構成例を示す図、図１３は撮像部７０の断面構成を示す図である。
この標準撮影用撮像部７１において、筒形状の内部ヘリコイド７４内に少なくとも２つ以上のレンズにより構成される撮影レンズ群７５が固定される。この内部ヘリコイド７４は、外周にネジ部７４ａが形成され、固定枠７６の内部に設けられたネジ部７６ａに螺合され、撮影レンズ端と撮像素子間の距離Ｌ１として、レンズ収差やピント調整が適正となる位置に固定されている。これらは、調整等は製造時に行われる。また、内部ヘリコイド７４の取り付け側の端部７４ｂには、標準撮影に好適する径φＤ２の固定絞り７７が取り付けられる。さらに、固定枠７６の台座は、撮像素子７８が設けられたスライド基板７３に取り付けられている。
【００４４】
図１２は、マクロ撮影用撮像部７２の具体的な構成例を示す図である。この説明において図１３を参照する。尚、このマクロ撮影用撮像部７２の構成部位で前述した図１１に示す構成部位と同等のものには同じ参照符号を付して説明を省略する。
【００４５】
このマクロ撮影用撮像部７２において、内部ヘリコイド７４内に撮影レンズ群７５が固定される。この内部ヘリコイド７４は、固定枠７６内のレンズ収差やピント調整が適正となる位置に螺合され、撮影レンズ端と撮像素子間の距離Ｌ２で固定されている。また、内部ヘリコイド７４の取り付け側の端部７４ｂには、マクロ撮影に好適する径φＤ３（径φＤ２＞φＤ３）の固定絞り７９が取り付けられる。さらに、固定枠７５の台座は、撮像素子８０が設けられたスライド基板７３に標準撮影用撮像部７１と並ぶように取り付けられる。また、この標準撮影用撮像部７１におけるレンズ群７５と撮像センサ７７との距離Ｌ１は、マクロ撮影用撮像部７２におけるレンズ群７５と撮像センサ８０との距離Ｌ２に対して、Ｌ１＞Ｌ２である。
【００４６】
次に図１４を参照して、本実施形態における標準撮影とマクロ撮影との切り替えについて、具体的に説明する。通常時の状態では、標準撮影用撮像部７１が撮影レンズ窓３２ｂに宛われているものとする。
【００４７】
ユーザーがバーコードをマクロ撮影しようとして、操作ダイヤル４３を操作（回動）すると、連動する押圧部６１の回動に伴い、押圧部６１のレバー６１ａが係合するスライド基板７３を移動させる。
この移動により、マクロ撮影用撮像部７２が撮影レンズ窓３２ｂへ宛われ、また、スライド基板７３の端辺により検出スイッチ４６の接片が押され、検出信号を制御部１３へ出力する。これ以降の動作については、前述した第１の実施形態と同等である。
【００４８】
以上説明したように、この第２の実施形態によれば、前述した第１の実施形態と同等な作用効果を得ることができ、さらに、共に固定焦点であるため、合焦に対する光軸方向の動作が無いためボケが少なく、高解像度を必要とするバーコードやキャラクタの読み取りに好適する。
【００４９】
又、図１５（ａ）に示すように前述した各実施形態では、上下部ハウジングに挟持されたガスケット３３の断面を矩形としていたが、これに限定されるものではなく、図１５（ｂ）に示すような十字形のガスケット８１でもよいし、図１５（ｃ）に示すような２つの大きさの異なる楕円を十字に組み合わせた断面形状のガスケット８２でもよい。
【００５０】
以上の実施形態について説明したが、本明細書には以下のような発明も含まれている。
【００５１】
（１）撮像素子と、この撮像素子に光を入力するための撮像手段（レンズ）と、前記撮像素子と前記撮像手段の相対位置を第１の位置と第２の位置に移動可能な第１の移動手段（カム１）と、前記撮像手段の被写体からの光を遮光する遮光手段（絞り）と、前記遮光手段による光束の遮光量を第１の遮光量と第２の遮光量に変更可能な第２の移動手段（カム２）とを具備し、前記第１の移動手段と第２の移動手段を第１の位置と第２の位置に移動操作可能な操作手段を有し、前記操作手段が第１の位置にあるとき第１の移動手段が第１の位置に、第２の移動手段が第１の位置に、前記操作手段が第２の位置に移動したとき、前記第１の移動手段が第２の位置に、第２の移動手段が第２の位置に、移動することを特徴とした帯端末装置。
【００５２】
（２）撮像素子と、この撮像素子に光を入力するための撮像手段（レンズ）と、前記撮像素子と前記撮像手段の相対位置を第１の位置と第２の位置に移動可能な第１の移動手段（カム１）と、前記撮像手段の被写体からの光を遮光する遮光手段（絞り）と、前記遮光手段による光束の遮光量を第１の遮光量と第２の遮光量に変更可能な第２の移動手段（カム２）と、前記第１の移動手段と第２の移動手段を第１の位置と第２の位置に移動操作可能な操作手段と、前記第１の移動手段または前記第２の移動手段または前記操作手段の第１の位置から第２の位置へ移動したことを検出する検出手段と、前記検出手段の信号を受けて撮像状態を制御する制御手段とを具備し、前記操作手段が第１の位置にあるとき第１の移動手段が第１の位置に、第２の移動手段が第１の位置にあり、前記操作手段が第２の位置に移動したとき、前記２の移動手段が第２の位置に、第２の動手段が第２の位置に移動可能であり、前記検出手段の信号を受けて特定の使用の操作可能な状態に制御することを特徴とする携帯型情報端末装置。
【００５３】
（３）撮像素子と、この撮像素子に光を入力するための撮像手段（レンズ）と、前記撮像素子と前記撮像手段の相対位置を第１の位置と第２の位置に移動可能な第１の移動手段（カム１）と、前記撮像手段の被写体からの光を遮光する遮光手段（絞り）と、前記遮光手段による光束の遮光量を第１の遮光量と第２の遮光量に変更可能な第２の移動手段（カム２）とを具備し、前記第１の移動手段を第１の位置、第２の位置、第３の位置に移動可能であり、第２の移動手段を第１の位置と第２の位置に移動操作可能な操作手段を有し、前記操作手段が第１の位置にあるとき第１の移動手段が第１の位置に、第２の動手段が第１の位置に、前記操作手段が第２の位置にあるとき、前記第１の移動手段が第２の位置に、第２の移動手段が第１の位置に前記操作手段が第３の位置に移動したとき、前記操作手段が第２の位置に、第２の移動手段が第２の位置に、移動することを特徴とする携帯型情報端末装置。
【００５４】
（４）撮像素子と、この撮像素子に光を入力するための撮像手段（レンズ）と、前記撮像素子と前記撮像手段の相対位置を第１の位置と第２の位置に移動可能な第１の移動手段（カム２）と、前記撮像手段の被写体からの光を遮光する遮光手段（絞り）と、前記遮光手段による光束の遮光量を第１の遮光量と第２の遮光量に変更可能な第２の移動手段（カム２）とを具備し、前記第１の移動手段を第１の位置、第２の位置、第３の位置に移動可能であり、第２の移動手段を第１の位置と第２の位置に移動操作可能な操作手段と、前記第２の移動手段または前記操作手段の第１の位置から第２の位置へ移動したことを検出する検出手段と、前記検出手段の信号を受けて撮像状態を制御する制御手段とを具備し、前記操作手段が第１の位置にあるとき第１の移動手段が第１の位置に、第２の移動手段が第１の位置に、前記操作手段が第２の位置にあるとき、前記第１の移動手段が第２の位置に、第２の移動手段が第１の位置に、前記操作手段が第３の位置に移動したとき、前記操作手段が第２の位置に、第２の移動手段が第２の位置に、移動可能であり、前記検出手段の信号を受けて特定の使用の操作可能な状態に制御することを特徴とする携帯型情報端末装置。
【００５５】
【発明の効果】
以上詳述したように本発明によれば、簡単な操作でバーコード読み取りモードに切り替えられ、バーコードの撮像から解読されたバーコード情報の表示、記録まで一連の動作で実施され、短時間でバーコード情報を取得できる携帯型情報端末装置を提供することができる。
【図面の簡単な説明】
【図１】本発明の第１の実施形態に係る携帯情報端末装置のブロック構成を示す図である。
【図２】第１の実施形態に係る端末装置の構成例を示す図である。
【図３】図１に示した撮像部の具体的な構成例を示す図である。
【図４】標準撮影とマクロ撮影の切り替え動作に伴う絞りの開口径の変化について説明するための図である。
【図５】標準撮影とマクロ撮影の切り替え動作に伴う撮影レンズの移動について説明するための図である。
【図６】標準撮影とマクロ撮影の切り替え動作に伴う絞り及び撮影レンズの状態について説明するための図である。
【図７】操作ボタンによりモード選択された標準撮影について説明するためのフローチャートである。
【図８】第１の実施形態におけるマクロ撮影について説明するためのフローチャートである。
【図９】第１の実施形態における撮像者の手動操作を伴うマクロ撮影について説明するためのフローチャートである。
【図１０】本発明の第２の実施形態に係る携帯情報端末装置のブロック構成を示す図である。
【図１１】第２の実施形態における標準撮影用撮像部の具体的な構成例を示す図である。
【図１２】第２の実施形態におけるマクロ撮影用撮像部の具体的な構成例を示す図である。
【図１３】第２の実施形態における撮像部の断面構成を示す図である。
【図１４】第２の実施形態における標準撮影とマクロ撮影との切り替えについて説明するための図である。
【図１５】本発明に係る携帯情報端末装置の上下部ハウジング間に介在させるガスケットについて説明するための図である。
【符号の説明】
１…撮像部、１ａ…撮像光学系、１ｂ…撮像素子、１ｃ…画像処理部、２…表示部、３…音声入出力部、４…キー（操作ボタン及びスイッチ）、５…キー入力部、６…メモリ部、７…記録媒体、８…記録部、９…外部通信部、１０…バーコード処理部、１１…撮像モード切り替え部、１２…照明部、１３…制御部、３１…上部ハウジング、３１ａ…画面窓、３２…下部ハウジング、３２ａ…電池室、３２ｂ…撮影レンズ窓、３２ｃ…溝、３２ｄ…照明用窓、３３…ガスケット、３３ａ…孔、３４…操作ボタン、３５…電池、３６…電池室蓋、３７…プリント配線基板（ＰＣＢ）、３８…液晶表示素子（ＬＣＤ）、３９…スイッチ、４０…レンズ鏡筒、４１…フレキシブルプリント配線基板（ＦＰＣ）、４２…操作ダイヤル用穴、４３…操作ダイヤル、４４…押圧部、４４ａ…ボス、４５…ビス、４６…検出スイッチ。
【図１】
2004289465.tif 000003
【図２】
2004289465.tif 000004
【図３】
2004289465.tif 000005
【図４】
2004289465.tif 000006
【図５】
2004289465.tif 000007
【図６】
2004289465.tif 000008
【図７】
2004289465.tif 000009
【図８】
2004289465.tif 000010
【図９】
2004289465.tif 000011
【図１０】
2004289465.tif 000012
【図１１】
2004289465.tif 000013
【図１２】
2004289465.tif 000014
【図１３】
2004289465.tif 000015
【図１４】
2004289465.tif 000016
【図１５】
2004289465.tif 000017